(57)【特許請求の範囲】
【請求項１】
開栓に応じ給湯用バーナに点火して温湯を供給する運転を行う給湯システムに用いられる運転データ保存装置において、
前記運転の際の運転環境値であって前記給湯システムの設置時にまたは当該給湯システムの運転時に得られる運転環境データを二重化するとともに、当該二重化された一方の運転環境データと当該二重化された他方の運転環境データとを別個の記憶手段に各々独立させて記憶させるようにしたものであって、
前記記憶手段に対して所定の優先順位を設定する優先順位設定手段を備え、
前記給湯システムは、前記所定の優先順位に従って前記記憶手段を選択するとともに前記運転環境データを読出して前記運転を行う、
ことを特徴とする運転データ保存装置。
【請求項２】
前記運転環境データを二重化するためのデータデュプレキシング手段と、
前記二重化された運転環境データの一方と前記運転に用いる運転初期値であって出荷時に設定される運転デフォルトデータとを記憶するための前記一方の記憶手段である運転データ保存手段と、
前記二重化された運転環境データの他方を記憶するための前記他方の記憶手段であって、前記給湯システムの運転を遠隔制御するために少なくとも１つ当該給湯システムに接続されたリモートコントロール手段と、
を備えて成ることを特徴とする請求項１に記載の運転データ保存装置。
【請求項３】
前記二重化された運転環境データの一方を記憶するためのＥＥＰＲＯＭが装置された前記運転データ保存手段と、
前記二重化された運転環境データの他方を記憶するためのＥＥＰＲＯＭが装置された前記リモートコントロール手段と、
を備えて成ることを特徴とする請求項２に記載の運転データ保存装置。
【発明の詳細な説明】
【０００１】
【産業上の利用分野】
開栓に応じ給湯用バーナに点火して温湯を供給する運転を行う給湯システムに用いられる運転データ保存装置に関し、特に給湯用バーナと給湯用バーナからの熱を給水に伝える熱交換器とを有し、開栓に応じ給湯用バーナに点火して温湯を供給する運転を行う給湯システムの運転データ保存装置に関する。
【０００２】
【従来の技術】
従来この種の給湯システムの運転データ保存装置５としては、例えば、図２に示すようなものがある。
【０００３】
従来技術の給湯システム１においては、運転を制御するための制御基板３上に設けられたＥＥＰＲＯＭ４に運転環境データ２を随時記憶させていた。この基板３は通常給湯システム１に設けられたスロット等に差込まれた状態で電気的な接続が行われていた。また、ＥＥＰＲＯＭ４は、制御基板３上にハンダ等によって固設されて電気的な接続が行われていた。
【０００４】
給湯システム１に不具合が生じ制御基板３の交換を行う際には、運転環境データ２が記憶されたＥＥＰＲＯＭ４が実装された基板ごと交換していた。
【０００５】
運転環境データとは、運転の際の運転環境値であって、給湯システムの設置時にまたは給湯システムの運転時に得られる運転データ（またはパラメータ）を意味する。例えば、給湯システムを設置した場所（例えば、一般家庭）や設置地区（例えば、北海道地区や沖縄地区）等の設置現場毎の個別の運転条件（例えば、ガスの種類、ガス圧、給水圧、給水流量）や使用環境条件（例えば、寒冷地、亜熱帯地）や必要給湯特性（例えば、給湯温度の変動幅、給湯量の変動幅）に応じて、最適な運転を実現するために、個々の給湯システム毎に適時保存される、所謂、個別設定用（カスタマイズ）データを意味する。さらに、給湯付風呂釜の場合の運転環境データとは、給湯付風呂釜の場合、浴槽の断面積や容積、循環金具の取付け位置、ユーザの希望水位や温度、器具内部にある圧力センサの補正値などの、最適な自動運転を実現するための個別の自動風呂給湯システム用の前記個別設定用（カスタマイズ）データを意味する。
【０００６】
これに対して、運転デフォルトデータとは、運転に用いる運転初期値（つまり、デフォルト値）であって、給湯システムの機種毎に出荷時（例えば、工場出荷時）に共通に設定される運転データ（またはパラメータ）を意味する。例えば、一般的な設置場所や設置地区に給湯システムを設置したと仮定して、そのときの一般的な運転条件や使用環境条件や必要給湯特性に応じた一般的な運転を実現するための、所謂、一般設定用データを意味する。
【０００７】
【発明が解決しようとする課題】
しかしながら、このような従来の運転データ保存装置５では、給湯システム１に不具合が生じ制御基板３の交換を行う際に運転環境データ２が記憶されたＥＥＰＲＯＭ４が実装された基板ごと交換するので、交換によって今までの最適な運転に用いていた運転環境データ５が消失してしまうという問題点があった。
【０００８】
つまり、基板交換後の新しい制御基板３上のＥＥＰＲＯＭ４には運転デフォルトデータしか記憶されていないため、交換直後の運転時には、運転デフォルトデータに基づく運転を行ってしまうため、基板交換直前の最適な運転が再現されるまでに何回かの試験的な運転を実行する必要があり、このため、安全性や信頼性が十分でないという問題点があった。
【０００９】
本発明は、このような従来の問題点に着目してなされたもので、運転環境データを二重化して別個のＥＥＰＲＯＭに記憶させて、制御基板等の交換によって一方の運転環境データが消失した場合でも他方の運転環境データの代用を可能とすることにより、運転環境データの消失を回避することができ、交換直前の最適な運転を基板交換後においても直ちに再現でき得る、安全性および信頼性が高い運転データ保存装置を提供することを目的としている。
【００１０】
【課題を解決するための手段】
かかる目的を達成するための本発明の要旨とするところは、以下の各項の発明に存する。
【００１１】
［１］項  開栓に応じ給湯用バーナに点火して温湯を供給する運転を行う給湯システム（１０）に用いられる運転データ保存装置において、
前記運転の際の運転環境値であって前記給湯システム（１０）の設置時にまたは当該給湯システム（１０）の運転時に得られる運転環境データ（１０ａ）を二重化するとともに、当該二重化された一方の運転環境データ（２８ａ）と当該二重化された他方の運転環境データ（２８ｂ）とを別個の記憶手段（３０）に各々独立させて記憶させるようにしたものであって、
前記記憶手段（３０）に対して所定の優先順位（２４ａ）を設定する優先順位設定手段（２４）を備え、
前記給湯システム（１０）は、前記所定の優先順位（２４ａ）に従って前記記憶手段（３０）を選択するとともに前記運転環境データ（１０ａ）を読出して前記運転を行う、
ことを特徴とする運転データ保存装置（２０）。
【００１２】
［２］項  前記運転環境データ（１０ａ）を二重化するためのデータデュプレキシング手段（２８）と、
前記二重化された運転環境データの一方（２８ａ）と前記運転に用いる運転初期値であって出荷時に設定される運転デフォルトデータ（２０ａ）とを記憶するための前記一方の記憶手段（３２）である運転データ保存手段（３２）と、
前記二重化された運転環境データの他方（２８ｂ）を記憶するための前記他方の記憶手段（３４）であって、前記給湯システム（１０）の運転を遠隔制御するために少なくとも１つ当該給湯システム（１０）に接続されたリモートコントロール手段（３４）と、
を備えて成ることを特徴とする［１］項に記載の運転データ保存装置（２０）。
【００１３】
［３］項  前記二重化された運転環境データの一方（２８ａ）を記憶するためのＥＥＰＲＯＭ（３２ａ）が装置された前記運転データ保存手段（３２）と、
前記二重化された運転環境データの他方（２８ｂ）を記憶するためのＥＥＰＲＯＭ（３４ａ）が装置された前記リモートコントロール手段（３４）と、
を備えて成ることを特徴とする［２］項に記載の運転データ保存装置（２０）。
【００１６】
【作用】
給湯システム（１０）は、開栓に応じ給湯用バーナに点火して温湯を供給する運転を行うことができる。
【００１７】
運転データ保存装置（２０）は、運転の際の運転環境値であって給湯システム（１０）の設置時にまたは給湯システム（１０）の運転時に得られる運転環境データ（１０ａ）を二重化することが可能である。
【００１８】
続いて、運転データ保存装置（２０）は、二重化された一方の運転環境データ（２８ａ）と二重化された他方の運転環境データ（２８ｂ）とを別個の記憶手段（３０）に各々独立させて記憶させることが可能である。
【００１９】
これにより、制御基板等の交換によって一方の運転環境データ（２８ａ）が消失した場合でも、その代用として他方の運転環境データ（２８ｂ）を用いることを可能とすることにより、運転環境データ（１０ａ）の消失を回避することができ、交換直前の最適な運転を基板交換後においても直ちに再現でき、故に高い安全性および信頼性を実現できる。
【００２０】
更に詳しく本発明の作用について説明する。
運転環境データ（１０ａ）の二重化は、データデュプレキシング手段（２８）によって実行することが可能である。
【００２１】
二重化された運転環境データの一方（２８ａ）と運転に用いる運転初期値であって出荷時に設定される運転デフォルトデータ（２０ａ）とは、一方の記憶手段（３２）である運転データ保存手段（３２）に記憶させることが可能である。
【００２２】
運転データ保存手段（３２）にＥＥＰＲＯＭ（３２ａ）が装置されている場合、二重化された運転環境データの一方（２８ａ）をＥＥＰＲＯＭ（３２ａ）に記憶させるることが可能である。
【００２３】
二重化された運転環境データの他方（２８ｂ）を記憶するための他方の記憶手段（３４）であって、少なくとも１つ給湯システム（１０）に接続されたリモートコントロール手段（３４）は、給湯システム（１０）の運転を遠隔制御することが可能である。
【００２４】
リモートコントロール手段（３４）にＥＥＰＲＯＭ（３４ａ）が装置されている場合、二重化された運転環境データの他方（２８ｂ）をＥＥＰＲＯＭ（３４ａ）に記憶させるることが可能である。
【００２５】
優先順位設定手段（２４）は、記憶手段（３０）に対して所定の優先順位（２４ａ）を設定することができる。
【００２６】
運転データ保存装置（２０）に優先順位設定手段（２４）が装置されている場合、給湯システム（１０）は、所定の優先順位（２４ａ）に従って記憶手段（３０）を選択するとともに、運転環境データ（１０ａ）を読出して運転を行うことが可能となる。
【００２７】
これにより、制御基板等の交換によって一方の運転環境データ（２８ａ）が消失した場合でも、その代用として所定の優先順位（２４ａ）に従った他方の運転環境データ（２８ｂ）を用いることを可能とすることにより、運転環境データ（１０ａ）の消失を回避することができ、交換直前の最適な運転を基板交換後においても直ちに再現でき、故に高い安全性および信頼性を実現できる。
【００２８】
運転環境データ（１０ａ）とは、運転の際の運転環境値であって、次回の運転を最適に実行するための各種制御情報であり、給湯システム（１０）の設置時にまたは給湯システム（１０）の運転時に得られる運転データ（またはパラメータ）を意味する。
【００２９】
例えば、給湯システム（１０）を設置した場所（例えば、一般家庭）や設置地区（例えば、北海道地区や沖縄地区）等の設置現場毎の個別の運転条件（例えば、ガスの種類、ガス圧、給水圧、給水流量、給水温履歴、燃焼ガス圧力、燃焼ファン回転条件、外気温、予混合比、熱交換器制御履歴、出湯温度、出湯圧力、異常発生時刻等）や使用環境条件（例えば、寒冷地、亜熱帯地）や必要給湯特性（例えば、給湯温度の変動幅、給湯温度の最高値、給湯量の変動幅、給湯量のの最高値）に応じて最適な運転を実現するために、個々の給湯システム毎に適時保存される、所謂、個別設定用（カスタマイズ）データを意味する。さらに、給湯付風呂釜の場合の運転環境データとは、給湯付風呂釜の場合、浴槽の断面積や容積、循環金具の取付け位置、ユーザの希望水位や温度、器具内部にある圧力センサの補正値などの、最適な自動運転を実現するための個別の自動風呂給湯システム用の前記個別設定用（カスタマイズ）データを意味する。
【００３０】
タイムスタンプ手段（２６）は、記憶手段（３０）が運転環境データ（１０ａ）の記憶を実行する際に、記憶時刻情報（２６ａ）を生成することが可能である。
【００３１】
運転データ保存装置（２０）にタイムスタンプ手段（２６）が装置されている場合、給湯システム（１０）は、記憶時刻情報（２６ａ）を付加した運転環境データ（１０ａ）を記憶手段（３０）に記憶させることが可能である。
【００３２】
このとき、給湯システム（１０）は、時刻情報に基づいて最新の運転環境データ（１０ａ）を記憶している記憶手段（３０）を選択するとともに運転環境データ（１０ａ）を読出して運転を行うことが可能となる。
【００３３】
これにより、制御基板等の交換によって一方の運転環境データ（２８ａ）が消失した場合でも、その代用として時刻情報に基づいて最新の運転環境データ（１０ａ）（則ち、他方の運転環境データ（２８ｂ））を用いることを可能とすることにより、運転環境データ（１０ａ）の消失を回避することができ、交換直前の最適な運転を基板交換後においても直ちに再現でき、故に高い安全性および信頼性を実現できる。
【００３４】
運転デフォルトデータ（２０ａ）とは、運転に用いる運転初期値（つまり、デフォルト値）であって、給湯システム（１０）の機種毎に出荷時（例えば、工場出荷時）に共通に設定される運転データ（またはパラメータ）を意味する。
【００３５】
例えば、一般的な設置場所や設置地区に給湯システム（１０）を設置したと仮定して、そのときの一般的な運転条件や使用環境条件や必要給湯特性に応じた一般的な運転を実現するための、所謂、一般設定用データを意味する。
【００３６】
【実施例】
以下、図面に基づき本発明の一実施例を説明する。図１は本発明の一実施例にかかる運転データ保存装置２０の機能ブロック図である。
【００３７】
本実施例の給湯システム１０は、開栓に応じ給湯用バーナに点火して温湯を供給する運転を行うものである。
【００３８】
本実施例の運転データ保存装置２０は、運転の際の運転環境値であって給湯システム１０の設置時にまたは給湯システム１０の運転時に得られる運転環境データ１０ａを二重化するとともに、二重化された一方の運転環境データ２８ａと二重化された他方の運転環境データ２８ｂとを別個の記憶手段３０に各々独立させて記憶させることが可能であって、図１に示すように、タイムスタンプ手段２６、優先順位設定手段２４、データデュプレキシング手段２８、記憶手段３０、運転データ保存手段３２を装置されて成る。
【００３９】
記憶手段３０としては一方の記憶手段３２および他方の記憶手段３４を装置して成る。本実施例では、運転データ保存手段３２が一方の記憶手段３２に該当し、リモートコントロール手段３４が他方の記憶手段３４に該当する。
【００４０】
また、本実施例の運転データ保存手段３２にはＥＥＰＲＯＭ３２ａが装置され、リモートコントロール手段３４にはＥＥＰＲＯＭ３４ａが装置されている。
【００４１】
本実施例の運転環境データ１０ａとは、運転の際の運転環境値であって、次回の運転を最適に実行するための各種制御情報であり、給湯システム１０の設置時にまたは給湯システム１０の運転時に得られる運転データ（またはパラメータ）を意味する。
【００４２】
例えば、給湯システム１０を設置した場所（例えば、一般家庭）や設置地区（例えば、北海道地区や沖縄地区）等の設置現場毎の個別の運転条件（例えば、ガスの種類、ガス圧、給水圧、給水流量、給水温履歴、燃焼ガス圧力、燃焼ファン回転条件、外気温、予混合比、熱交換器制御履歴、出湯温度、出湯圧力、異常発生時刻等）や使用環境条件（例えば、寒冷地、亜熱帯地）や必要給湯特性（例えば、給湯温度の変動幅、給湯温度の最高値、給湯量の変動幅、給湯量のの最高値）に応じて最適な運転を実現するために、個々の給湯システム毎に適時保存される、所謂、個別設定用（カスタマイズ）データを意味する。さらに、給湯付風呂釜の場合の運転環境データとは、給湯付風呂釜の場合、浴槽の断面積や容積、循環金具の取付け位置、ユーザの希望水位や温度、器具内部にある圧力センサの補正値などの、最適な自動運転を実現するための個別の自動風呂給湯システム用の前記個別設定用（カスタマイズ）データを意味する。
【００４３】
また、本実施例の運転デフォルトデータ２０ａとは、運転に用いる運転初期値（つまり、デフォルト値）であって、給湯システム１０の機種毎に出荷時（例えば、工場出荷時）に共通に設定される運転データ（またはパラメータ）を意味する。
【００４４】
例えば、一般的な設置場所や設置地区に給湯システム１０を設置したと仮定して、そのときの一般的な運転条件や使用環境条件や必要給湯特性に応じた一般的な運転を実現するための、所謂、一般設定用データを意味する。
【００４５】
なお、ＥＥＰＲＯＭ（Ｅｌｅｃｔｒｉｃａｌｌｙ  Ｅｒａｓａｂｌｅ  ａｎｄＰｒｏｇｒａｍｍａｂｌｅ  Ｒｅａｄ  Ｏｎｌｙ  Ｍｅｍｏｒｙ）はＥＰＲＯＭ（Ｅｒａｓａｂｌｅ  ａｎｄ  Ｐｒｏｇｒａｍａｂｌｅ  Ｒｅａｄ  ＯｎｌｙＭｅｍｏｒｙ）の一種であって、電気的に記憶データ内容を消去し再書き込みできるものである。再書き込みは１バイト毎に実行できる。また、フラッシュ型のＥＥＰＲＯＭは全ビットまたは単位ブロックを一括消去することができるものである。ＥＥＰＲＯＭでは、記憶データの消去および書き込みには電力を必要とするが、一度記憶された記憶データ内容は当該電力を切った後でも保存される。給湯システム１０や、運転データ保存装置２０を構成する優先順位設定手段２４、データデュプレキシング手段２８、タイムスタンプ手段２６、記憶手段３０である一方の記憶手段３２（運転データ保存手段３２）および他方の記憶手段３４（リモートコントロール手段３４）等は、単一のマイクロプロセッサーを用いた集中管理構成を用いても良いし、手段毎に各々マイクロプロセッサーを配置して各々の管理をマイクロプロセッサー毎に実行する分散管理構成を用いても良い。さらに複数配置された当該マイクロプロセッサー群を統括する統括マイクロプロセッサーを用いた階層構造（アーキテクチャ）を用いても良い。また、マイクロプロセッサーは、システムバスに接続されていてもよい。
【００４６】
運転データ保存手段３２に装置されたＥＥＰＲＯＭ３２ａやリモートコントロール手段３４に装置されたＥＥＰＲＯＭ３４ａにおけるメモリ書込みおよび消去の制御を実行するための制御手段は、運転データ保存手段３２やリモートコントロール手段３４の管理を実行するためのマイクロプロセッサーを用いてもよいし、各々に専用のメモリ制御用のコントローラ（例えば、ＡＳＩＣ）を用いてもよい。また、マイクロプロセッサーは、システムバスに接続されていてもよい。
【００４７】
本実施例の給湯システム１０、優先順位設定手段２４、データデュプレキシング手段２８、タイムスタンプ手段２６、記憶手段３０である一方の記憶手段３２（運転データ保存手段３２）および他方の記憶手段３４（リモートコントロール手段３４）、運転データ保存手段３２に装置されたＥＥＰＲＯＭ３２ａ、リモートコントロール手段３４に装置されたＥＥＰＲＯＭ３４ａ等おける、運転環境データ１０ａ、運転デフォルトデータ２０ａ、所定の優先順位２４ａ、記憶時刻情報２６ａ、一方の運転環境データ２８ａ、他方の運転環境データ２８ｂ、ＥＥＰＲＯＭ３２ａ、３４ａにおけるメモリ書込みおよび消去の制御データ等の情報の伝送は、マイクロプロセッサーのシステムバスまたは通信回線を介して実行されるように接続されている。
【００４８】
システムバスとしてイーサネットバス、ＧＰ−ＩＢバス、ＲＳ２３２Ｃバス、Ｓ１００バス、ＶＬバス、ＩＳＡバス、ＥＩＳＡバス、ＰＣＩバス、またはセントロニクスバス等のバス構造を用いたときは、各々に該当する所定の通信プロトコルに準拠してデータの伝送が実行されるように接続されている。
【００４９】
通信回線としては、イーサネットバス回線、ＧＰ−ＩＢバス回線、ＲＳ２３２Ｃバス回線、Ｓ１００バス回線、ＶＬバス回線、ＩＳＡバス回線、ＥＩＳＡバス回線、ＰＣＩバス回線、またはセントロニクスバス回線、ＩＳＢＮ回線、通常の電話回線、光ファイバー回線、ＣＡＴＶ（ケーブルテレビ）回線等の有線回線を用いることが可能であり、その他無線回線を用いることも可能である。
【００５０】
なお、運転環境データ１０ａ、運転デフォルトデータ２０ａ、所定の優先順位２４ａ、記憶時刻情報２６ａ、一方の運転環境データ２８ａ、他方の運転環境データ２８ｂ、ＥＥＰＲＯＭ３２ａ、３４ａにおけるメモリ書込みおよび消去の制御データ等の情報を、（工場）出荷時に予め、給湯システム１０や運転データ保存装置２０に伝送できるように、本実施例のシステムバスや通信回線は配線されていてもよい。更に、（工場）出荷時に予め、給湯システム１０や運転データ保存装置２０の運転諸性能（所謂、スペック）を検査できるように、本実施例のシステムバスや通信回線は配線されていてもよい。
【００５１】
更に詳しく本実施例の構成について説明する。
優先順位設定手段２４は、記憶手段３０に対して所定の優先順位２４ａを設定するものであって、給湯システム１０が所定の優先順位２４ａに従って記憶手段３０を選択するとともに運転環境データ１０ａを読出して運転を実行できるように、給湯システム１０、運転データ保存手段３２、リモートコントロール手段３４、運転データ保存手段３２に装置されたＥＥＰＲＯＭ３２ａ、リモートコントロール手段３４に装置されたＥＥＰＲＯＭ３４ａ、に接続されて成る。
【００５２】
タイムスタンプ手段２６は、記憶手段３０が運転環境データ１０ａの記憶を実行する際に記憶時刻情報２６ａを生成するものであって、給湯システム１０が記憶時刻情報２６ａを付加した運転環境データ１０ａを記憶手段３０に記憶させまた時刻情報に基づいて最新の運転環境データ１０ａを記憶している記憶手段３０を選択するとともに運転環境データ１０ａを読出して運転を行えるを実行できるように、データデュプレキシング手段２８、リモートコントロール手段３４、運転データ保存手段３２に接続されて成る。
【００５３】
データデュプレキシング手段２８は、運転環境データ１０ａを二重化するためのものであって、給湯システム１０、タイムスタンプ手段２６に接続されて成る。
【００５４】
一方の記憶手段３２である運転データ保存手段３２は、二重化された運転環境データの一方２８ａと運転に用いる運転初期値であって出荷時に設定される運転デフォルトデータ２０ａとを記憶できるように、給湯システム１０、優先順位設定手段２４、データデュプレキシング手段２８、タイムスタンプ手段２６に接続されて成る。
【００５５】
ＥＥＰＲＯＭ３２ａは、二重化された運転環境データの一方２８ａを記憶できるように、運転データ保存手段３２に装置されて成る。
【００５６】
他方の記憶手段３４であるリモートコントロール手段３４は、給湯システム１０の運転を遠隔制御するために少なくとも１つ給湯システム１０に接続され、二重化された運転環境データの他方２８ｂを記憶可能なように、優先順位設定手段２４、タイムスタンプ手段２６に接続されて成る。
【００５７】
なお、本実施例のリモートコントロール手段３４は、ユーザの要求に応じて、複数個接続することができる。複数個のリモートコントロール手段３４が接続された場合には、各々のリモートコントロール手段３４にＩＤ（認識）番号を付加し、所定の優先順位２４ａを設定に用いるようにしてもよい。このとき、優先順位設定手段２４は、各々のリモートコントロール手段３４に対してＩＤ（認識）番号に基づく所定の優先順位２４ａを設定することになる。さらに、給湯システム１０は、ＩＤ（認識）番号に従って各々のリモートコントロール手段３４の中から所定のリモートコントロール手段３４を選択するとともに、運転環境データ１０ａを当該リモートコントロール手段３４から読出して運転を実行することになる。
【００５８】
ＥＥＰＲＯＭ３４ａは、二重化された運転環境データの他方２８ｂを記憶を記憶できるように、リモートコントロール手段３４に装置されて成る。
【００５９】
次に作用を説明する。
【００６０】
給湯システム１０は、開栓に応じ給湯用バーナに点火して温湯を供給する運転を行うことができる。
【００６１】
運転データ保存装置２０は、運転の際の運転環境値であって給湯システム１０の設置時にまたは給湯システム１０の運転時に得られる運転環境データ１０ａを二重化することが可能である。
【００６２】
続いて、運転データ保存装置２０は、二重化された一方の運転環境データ２８ａと二重化された他方の運転環境データ２８ｂとを別個の記憶手段３０に各々独立させて記憶させることが可能である。
【００６３】
給湯システム１０や、運転データ保存装置２０を構成する優先順位設定手段２４、データデュプレキシング手段２８、タイムスタンプ手段２６、記憶手段３０である一方の記憶手段３２（運転データ保存手段３２）および他方の記憶手段３４（リモートコントロール手段３４）等は、単一のマイクロプロセッサーを用いた集中管理処理を用いても良いし、手段毎に各々マイクロプロセッサーを配置して各々の処理をマイクロプロセッサー毎に実行する分散管理処理を用いても良い。さらに複数配置された当該マイクロプロセッサー群を統括する統括マイクロプロセッサーを用いた階層処理を用いても良い。また、マイクロプロセッサーは、システムバスを用いたデータ電送処理を実行できる。
【００６４】
運転データ保存手段３２に装置されたＥＥＰＲＯＭ３２ａやリモートコントロール手段３４に装置されたＥＥＰＲＯＭ３４ａにおけるメモリ書込みおよび消去の制御は、運転データ保存手段３２やリモートコントロール手段３４の処理を実行するためのマイクロプロセッサーを用いてもよいし、各々に専用のメモリ制御用のコントローラ（例えば、ＡＳＩＣ）を用いて実行できる。また、マイクロプロセッサーは、システムバスを用いたデータ電送処理を実行できる。
【００６５】
本実施例の給湯システム１０、優先順位設定手段２４、データデュプレキシング手段２８、タイムスタンプ手段２６、記憶手段３０である一方の記憶手段３２（運転データ保存手段３２）および他方の記憶手段３４（リモートコントロール手段３４）、運転データ保存手段３２に装置されたＥＥＰＲＯＭ３２ａ、リモートコントロール手段３４に装置されたＥＥＰＲＯＭ３４ａ等おける、運転環境データ１０ａ、運転デフォルトデータ２０ａ、所定の優先順位２４ａ、記憶時刻情報２６ａ、一方の運転環境データ２８ａ、他方の運転環境データ２８ｂ、ＥＥＰＲＯＭ３２ａ、３４ａにおけるメモリ書込みおよび消去の制御データ等の情報の伝送は、マイクロプロセッサーのシステムバスまたは通信回線を介して実行される得る。
【００６６】
システムバスとしてイーサネットバス、ＧＰ−ＩＢバス、ＲＳ２３２Ｃバス、Ｓ１００バス、ＶＬバス、ＩＳＡバス、ＥＩＳＡバス、ＰＣＩバス、またはセントロニクスバス等のバス構造を用いたときは、各々に該当する所定の通信プロトコルに準拠してデータの伝送が実行され得る。
【００６７】
通信回線としては、イーサネットバス回線、ＧＰ−ＩＢバス回線、ＲＳ２３２Ｃバス回線、Ｓ１００バス回線、ＶＬバス回線、ＩＳＡバス回線、ＥＩＳＡバス回線、ＰＣＩバス回線、またはセントロニクスバス回線、ＩＳＢＮ回線、通常の電話回線、光ファイバー回線、ＣＡＴＶ（ケーブルテレビ）回線等の有線回線を用いることが可能であり、その他無線回線を用いることも可能である。
【００６８】
本実施例では、システムバスや通信回線を介して、運転環境データ１０ａ、運転デフォルトデータ２０ａ、所定の優先順位２４ａ、記憶時刻情報２６ａ、一方の運転環境データ２８ａ、他方の運転環境データ２８ｂ、ＥＥＰＲＯＭ３２ａ、３４ａにおけるメモリ書込みおよび消去の制御データ等の情報を、（工場）出荷時に予め、給湯システム１０や運転データ保存装置２０に伝送できる。更に、システムバスや通信回線を介して、（工場）出荷時に予め、給湯システム１０や運転データ保存装置２０の運転諸性能（所謂、スペック）を検査することも可能である。
【００６９】
これにより、制御基板等の交換によって一方の運転環境データ２８ａが消失した場合でも、その代用として他方の運転環境データ２８ｂを用いることを可能とすることにより、運転環境データ１０ａの消失を回避することができ、交換直前の最適な運転を基板交換後においても直ちに再現でき、故に高い安全性および信頼性を実現できる。
【００７０】
更に詳しく本実施例の作用について説明する。
運転環境データ１０ａの二重化は、データデュプレキシング手段２８によって実行することが可能である。
【００７１】
二重化された運転環境データの一方２８ａと運転に用いる運転初期値であって出荷時に設定される運転デフォルトデータ２０ａとは、一方の記憶手段３２である運転データ保存手段３２に記憶させることが可能である。
【００７２】
運転データ保存手段３２にＥＥＰＲＯＭ３２ａが装置されている場合、二重化された運転環境データの一方２８ａをＥＥＰＲＯＭ３２ａに記憶させるることが可能である。
【００７３】
二重化された運転環境データの他方２８ｂを記憶するための他方の記憶手段３４であって、少なくとも１つ給湯システム１０に接続されたリモートコントロール手段３４は、給湯システム１０の運転を遠隔制御することが可能である。
【００７４】
リモートコントロール手段３４にＥＥＰＲＯＭ３４ａが装置されている場合、二重化された運転環境データの他方２８ｂをＥＥＰＲＯＭ３４ａに記憶させるることが可能である。
【００７５】
本実施例のリモートコントロール手段３４は、ユーザの要求に応じて、複数個接続することができる。複数個のリモートコントロール手段３４が接続された場合には、各々のリモートコントロール手段３４にＩＤ（認識）番号を付加し、所定の優先順位２４ａを設定に用いるようにしている。
【００７６】
このとき、優先順位設定手段２４は、各々のリモートコントロール手段３４に対してＩＤ（認識）番号に基づく所定の優先順位２４ａを設定することが可能である。なお、リモートコントロール手段３４における優先順位２４ａ（本実施例では、ＩＤ番号）は、（工場）出荷時に予め設定しておくことも可能であるし、ま給湯システム設置時にユーザの都合に合わせて設定することも可能である。
【００７７】
本実施例のＩＤ（認識）番号とは、具体的には、イーサネット通信プロトコル、ＧＰ−ＩＢ通信プロトコル、ＲＳ２３２Ｃ通信プロトコル、Ｓ１００通信プロトコル、ＶＬ通信プロトコル、ＩＳＡ通信プロトコル、ＥＩＳＡ通信プロトコル、ＰＣＩ通信プロトコル、またはセントロニクス通信プロトコル、ＩＳＢＮ通信プロトコル、通常の電話通信プロトコル、等における装置の認識番号を意味する。
【００７８】
さらに、給湯システム１０は、ＩＤ（認識）番号に従って、各々のリモートコントロール手段３４の中から所定のリモートコントロール手段３４を選択するとともに、運転環境データ１０ａを当該リモートコントロール手段３４から読出して運転を実行することが可能である。
【００７９】
優先順位設定手段２４は、記憶手段３０に対して所定の優先順位２４ａ（本実施例では、ＩＤ番号）を設定することができる。
【００８０】
運転データ保存装置２０に優先順位設定手段２４が装置されている場合、給湯システム１０は、所定の優先順位２４ａ（本実施例では、ＩＤ番号）に従って記憶手段３０を選択するとともに、運転環境データ１０ａを読出して運転を行うことが可能となる。
【００８１】
これにより、制御基板等の交換によって一方の運転環境データ２８ａが消失した場合でも、その代用として所定の優先順位２４ａ（本実施例では、ＩＤ番号）に従った他方の運転環境データ２８ｂを用いることを可能とすることにより、運転環境データ１０ａの消失を回避することができ、交換直前の最適な運転を基板交換後においても直ちに再現でき、故に高い安全性および信頼性を実現できる。
【００８２】
運転環境データ１０ａとは、運転の際の運転環境値であって、次回の運転を最適に実行するための各種制御情報であり、給湯システム１０の設置時にまたは給湯システム１０の運転時に得られる運転データ（またはパラメータ）を意味する。
【００８３】
例えば、給湯システム１０を設置した場所（例えば、一般家庭）や設置地区（例えば、北海道地区や沖縄地区）等の設置現場毎の個別の運転条件（例えば、ガスの種類、ガス圧、給水圧、給水流量、給水温履歴、燃焼ガス圧力、燃焼ファン回転条件、外気温、予混合比、熱交換器制御履歴、出湯温度、出湯圧力、異常発生時刻等）や使用環境条件（例えば、寒冷地、亜熱帯地）や必要給湯特性（例えば、給湯温度の変動幅、給湯温度の最高値、給湯量の変動幅、給湯量のの最高値）に応じて最適な運転を実現するために、個々の給湯システム毎に適時保存される、所謂、個別設定用（カスタマイズ）データを意味する。さらに、給湯付風呂釜の場合の運転環境データとは、給湯付風呂釜の場合、浴槽の断面積や容積、循環金具の取付け位置、ユーザの希望水位や温度、器具内部にある圧力センサの補正値などの、最適な自動運転を実現するための個別の自動風呂給湯システム用の前記個別設定用（カスタマイズ）データを意味する。
【００８４】
タイムスタンプ手段２６は、記憶手段３０が運転環境データ１０ａの記憶を実行する際に、記憶時刻情報２６ａを生成することが可能である。
【００８５】
運転データ保存装置２０にタイムスタンプ手段２６が装置されている場合、給湯システム１０は、記憶時刻情報２６ａを付加した運転環境データ１０ａを記憶手段３０に記憶させることが可能である。
【００８６】
このとき、給湯システム１０は、時刻情報に基づいて最新の運転環境データ１０ａを記憶している記憶手段３０を選択するとともに運転環境データ１０ａを読出して運転を行うことが可能となる。
【００８７】
これにより、制御基板等の交換によって一方の運転環境データ２８ａが消失した場合でも、その代用として時刻情報に基づいて最新の運転環境データ１０ａ（則ち、他方の運転環境データ２８ｂ）を用いることを可能とすることにより、運転環境データ１０ａの消失を回避することができ、交換直前の最適な運転を基板交換後においても直ちに再現でき、故に高い安全性および信頼性を実現できる。
【００８８】
【発明の効果】
本発明にかかる運転データ保存装置によれば、運転環境データを二重化して別個のＥＥＰＲＯＭに記憶させ、制御基板等の交換によって一方の運転環境データが消失した場合でも他方の運転環境データの代用を可能とすることにより、運転環境データの消失を回避することができ、交換直前の最適な運転を基板交換後においても直ちに再現でき、故に高い安全性および信頼性を実現できる。
【図面の簡単な説明】
【図１】  本発明の一実施例にかかる運転データ保存装置の機能ブロック図である。
【図２】  従来の給湯システムの運転データ保存装置の機能ブロック図である。
【符号の説明】
１０…給湯システム
１０ａ…運転環境データ
２０…運転データ保存装置
２０ａ…運転デフォルトデータ
２４…優先順位設定手段
２４ａ…所定の優先順位
２６…タイムスタンプ手段
２６ａ…記憶時刻情報
２８…データデュプレキシング手段
２８ａ…一方の運転環境データ
２８ｂ…他方の運転環境データ
３０…記憶手段
３２…一方の記憶手段（＝運転データ保存手段）
３２ａ…ＥＥＰＲＯＭ
３４…他方の記憶手段（＝リモートコントロール手段）
３４ａ…ＥＥＰＲＯＭ
【図１】
0003651947.tif 000002
【図２】
0003651947.tif 000003